(57)【要約】【課題】本発明は、地震速報等の緊急情報を認識しても緊急事態に備えてユーザが効率良く行動することを可能せしめる報知装置を提供することを目的とする。【解決手段】本発明に係わる報知装置（２０）は、受信部（２１）、報知内容決定部（２３）および報知部（２５，２６）を備えている。受信部（２１）は、災害に関する緊急情報を受信する。また報知内容決定部（２３）は、受信部（２１）で受信した緊急情報に含まれる情報に基づき、災害発生前に実施すべき事項を表す報知内容を決定する。また報知部（２５，２６）は、前記報知内容決定部で決定された前記報知内容を報知する。【選択図】図２
2008117166.tif 000002
【特許請求の範囲】
【請求項１】
災害に関する緊急情報を受信する受信部（２１）と、
前記受信部で受信した前記緊急情報に含まれる情報と、予め設定されている設定情報とに基づいて、報知すべき事項を決定する報知内容決定部（２３）と、
前記報知内容決定部で決定された前記報知すべき事項を報知する報知部（２５，２６）とを、備えている、
ことを特徴とする報知装置。
【請求項２】
前記報知内容決定部は、
前記受信部で受信した前記緊急情報に含まれる情報に基づき、災害発生前に実施すべき事項を表す報知内容を決定し、
前記報知部は、
前記報知内容決定部で決定された前記報知内容を報知する、
ことを特徴とする請求項１に記載の報知装置。
【請求項３】
前記報知内容が少なくとも１以上格納される記憶部（２２）と、
前記報知内容に関する設定情報を記憶する設定情報記憶部（２７）とを、さらに備え、
前記報知内容決定部は、
前記緊急情報に含まれる前記情報および前記報知内容に関する前記設定情報に基づいて、前記記憶部に格納されている前記報知内容の中から、少なくとも１以上の所定の前記報知内容と、報知する優先度とを決定し、
前記報知部は、
前記優先度に従って、前記所定の報知内容を順に報知する、
ことを特徴とする請求項２に記載の報知装置。
【請求項４】
前記緊急情報を受信した際に発光する発光部（２４）を、さらに備えている、
ことを特徴とする請求項１に記載の報知装置。
【請求項５】
前記報知部は、
前記報知すべき事項を表示する表示部（２５）および／または音声で報知する音声部（２６）である、
ことを特徴とする請求項１に記載の報知装置。
【請求項６】
前記報知部は、
電気通信回線（３０）を介して前記受信部で受信した、所定の文字、音声、音楽、画像、映像情報の少なくとも１つを提供することも可能であり、
前記受信部が前記緊急情報を受信した場合には、前記報知すべき事項を、前記所定の文字、音声、音楽、画像、映像情報より優先して報知する、
ことを特徴とする請求項１に記載の報知装置。
【請求項７】
前記記憶部に格納されている前記報知内容は、
外部からの操作により編集可能である、
ことを特徴とする請求項２に記載の報知装置。
【請求項８】
前記報知装置は、
公共的施設または乗物に設置されている、
ことを特徴とする請求項１に記載の報知装置。
【請求項９】
請求項１ないし請求項８のいずれかに記載の報知装置を備えた空気調和機であって、
当該空気調和機の待機状態において、少なくとも前記受信部に電力を給電する待機電力供給部を備えている、
ことを特徴とする空気調和機。
【請求項１０】
前記受信部が前記緊急情報を受信した場合には、空調の運転を停止する、
ことを特徴とする請求項９に記載の空気調和機。
【発明の詳細な説明】
【技術分野】
【０００１】
この発明は、報知装置および空気調和機に係る発明であり、例えば、地震等の災害の事前報知を行うことができる報知装置および空気調和機に適用することができる。
【背景技術】
【０００２】
地震の発生を事前に認識したいという要望に応じて、地震を事前に予測し、地震に関する速報を通知する技術が最近検討されている。たとえば、地震の発生を事前に予測した場合には、情報発信局が携帯電話機等に当該地震の速報を伝送する。当該地震速報を受信した携帯電話機のユーザは、屋外においても屋内にいるときと同様に、事前に地震の発生を認識することができる（たとえば、非特許文献１）。
【０００３】
また、緊急情報配信装置に関する発明として、特許文献１が存在する。当該特許文献１には、災害発生時には、配信センタが配信地域を特定し、広告データの配信を中断し、地域情報配信者から送信される緊急情報データを配信地域内の表示装置に配信する技術が開示されている。
【０００４】
【非特許文献１】社団法人三重情報通信基盤整備協会、三重テレビ放送株式会社、ＫＤＤＩ株式会社、株式会社ウェザーニューズ、ＫＤＤＩ会社情報−ニュースリリース、“地上デジタル放送を活用した緊急地震速報の実用化試験実施について”、２００５年２月２４日、２００６年８月３０日検索、インターネット＜ｈｔｔｐ：／／ｗｗｗ．ｋｄｄｉ．ｃｏｍ／ｃｏｒｐｏｒａｔｅ／ｎｅｗｓ＿ｒｅｌｅａｓｅ／２００５／０２２４ａ／ｉｎｄｅｘ．ｈｔｍｌ＞
【特許文献１】特開２００１−２７４８３０号公報
【発明の開示】
【発明が解決しようとする課題】
【０００５】
非特許文献１、特許文献１に記載されている地震速報放送システムでは、もし、表示部に地震速報が表示されたとしても、当該地震の発生を知ったユーザはうろたえてしまい、地震発生に備えた行動を事前に効率良く実施できない。
【０００６】
また、家や学校、会社などは、日頃、災害対策の訓練を行っていれば、災害発生の通知をもって速やかな行動をとることができる。しかし、初めて訪れる場所や建物にいる場合には、その場所にあった対応（退避行動、退避場所、非難するルートや避難場所など）が判らないため適切な行動ができない。初めてではなくても普段、出先での災害時の対応を気にして確認している人は決して多くない。特に公共的施設（遊園地、テーマパーク、博物館、美術館、図書館、百貨店、スーパーマーケット、駅、空港、港、高速道路など）や乗物（鉄道車両、バス、飛行機、船舶など）では適切な情報が必要である。
【０００７】
また、特許文献１には、報知装置に設置場所等の設定情報がないため、情報提供者が、設置場所毎の情報を取捨選択して作成する必要があり、設置場所で必要な情報を作成するには多大な労力を必要とし、利用者に必要な的確な情報は得られにくかった。
【０００８】
そこで、本発明は、地震速報等の緊急情報を認識しても緊急事態に備えてユーザが、事前に効率良く行動することを可能せしめる報知装置および空気調和機を提供することを目的とする。
【課題を解決するための手段】
【０００９】
上記の目的を達成するために、本発明に係る請求項１に記載の報知装置は、災害に関する緊急情報を受信する受信部（２１）と、前記受信部で受信した前記緊急情報に含まれる情報と、予め設定されている設定情報とに基づいて、報知すべき事項を決定する報知内容決定部（２３）と、前記報知内容決定部で決定された前記報知すべき事項を報知する報知部（２５，２６）とを、備えている。
【００１０】
また、本発明に係る請求項２に記載の報知装置は、請求項１に記載の報知装置であって、前記報知内容決定部は、前記受信部で受信した前記緊急情報に含まれる情報に基づき、災害発生前に実施すべき事項を表す報知内容を決定し、前記報知部は、前記報知内容決定部で決定された前記報知内容を報知する。
【００１１】
また、本発明に係る請求項３に記載の報知装置は、請求項２に記載の報知装置であって、前記報知内容が少なくとも１以上格納される記憶部（２２）と、前記報知内容に関する設定情報を記憶する設定情報記憶部（２７）とを、さらに備え、前記報知内容決定部は、前記緊急情報に含まれる前記情報および前記報知内容に関する前記設定情報に基づいて、前記記憶部に格納されている前記報知内容の中から、少なくとも１以上の所定の前記報知内容と、報知する優先度とを決定し、前記報知部は、前記優先度に従って、前記所定の報知内容を順に報知する。
【００１２】
また、本発明に係る請求項４に記載の報知装置は、請求項１に記載の報知装置であって、前記緊急情報を受信した際に発光する発光部（２４）を、さらに備えている。
【００１３】
また、本発明に係る請求項５に記載の報知装置は、請求項１に記載の報知装置であって、前記報知部は、前記報知すべき事項を表示する表示部（２５）および／または音声で報知する音声部（２６）である。
【００１４】
また、本発明に係る請求項６に記載の報知装置は、請求項１に記載の報知装置であって、前記報知部は、電気通信回線（３０）を介して前記受信部で受信した、所定の文字、音声、音楽、画像、映像情報の少なくとも１つを提供することも可能であり、前記受信部が前記緊急情報を受信した場合には、前記報知内容を、前記所定の文字、音声、音楽、画像、映像情報より優先して報知する。
【００１５】
また、本発明に係る請求項７に記載の報知装置は、請求項２に記載の報知装置であって、前記記憶部に格納されている前記報知内容は、外部からの操作により編集可能である。
【００１６】
また、本発明に係る請求項８に記載の報知装置は、請求項１に記載の報知装置であって、前記報知装置は、公共的施設または乗物に設置されている。
【００１７】
また、本発明に係る請求項９に記載の空気調和機は、請求項１ないし請求項８のいずれかに記載の報知装置を備えた空気調和機であって、待機状態において、少なくとも前記受信部に電力を給電する待機電力供給部を備えている。
【００１８】
また、本発明に係る請求項１０に記載の空気調和機は、請求項９に記載の空気調和機であって、前記受信部が前記緊急情報を受信した場合には、空調の運転を停止する。
【発明の効果】
【００１９】
本発明の請求項１に記載の報知装置は、受信部で受信した緊急情報に含まれる情報と、予め設定されている設定情報とに基づいて、報知すべき事項を決定する報知内容決定部と、報知内容決定部で決定された報知すべき事項を報知する報知部とを、備えている。
【００２０】
したがって、ユーザは、設置場所に必要な情報を的確に認識することができる。
【００２１】
また、本発明の請求項２に記載の報知装置では、報知内容決定部は、前記受信部で受信した前記緊急情報に含まれる情報に基づき、災害発生前に実施すべき事項を表す報知内容を決定し、前記報知部は、前記報知内容決定部で決定された前記報知内容を報知する。
【００２２】
したがって、緊急情報を受信しても、ユーザが突然の災害に何をして良いのか判らず的確な行動がとれなくなることを防止できる。つまり、報知部が報知内容に基づいて的確な指示を報知するので、ユーザは、災害発生前に、短い時間で必要な行動をとることができる。
【００２３】
また、本発明の請求項３に記載の報知装置では、報知内容決定部は、  緊急情報に含まれる情報および報知内容に関する設定情報に基づいて、少なくとも１以上の所定の報知内容と、報知する優先度とを決定している。そして、報知部は、当該優先度に従って、当該所定の報知内容を順に報知している。
【００２４】
したがって、たとえば、災害発生までの時間（緊急情報に含まれる情報）、報知装置の設置場所（報知内容に関する設定情報であり、単なる設定情報）および、当該報知装置が事前に認識している、例えば自機の近くに存する人を特定した認識情報（報知内容に関する設定情報であり、認識情報）等に応じて、適切な所定の報知内容を優先度の高い順に決定し、報知することができる。したがって、ユーザは、当該ユーザの存する状況に適した災害準備を、災害発生前に迅速に実施することができる。
【００２５】
また、本発明の請求項４に記載の報知装置は、緊急情報を受信した際に発光する発光部を、さらに備えている。したがって、ユーザは、緊急情報を報知装置が受信したことが認識することができる。
【００２６】
また、本発明の請求項５に記載の報知装置は、報知部として報知すべき事項を表示する表示部および／または音声で報知する音声部を採用している。したがって、ユーザは、確実にかつ容易に、災害に関する情報および、災害が発生する前にすべき事項を認識することができる。
【００２７】
また、本発明の請求項６に記載の報知装置では、報知部は、電気通信回線を介して受信部で受信した、所定の文字等の諸情報を提供することも可能であり、受信部が緊急情報を受信した場合には、報知内容を、当該所定の文字等諸情報より優先して報知する。
【００２８】
したがって、ユーザが、所定の文字情報等を電気通信回線介して送受信している最中であっても、ユーザは、災害が発生することを事前に認識することができる。
【００２９】
また、本発明の請求項７に記載の報知装置では、報知内容は、外部からの操作により編集可能である。したがって、たとえば遠隔から当該報知内容を容易に変更することができる。
【００３０】
また、本発明の請求項８に記載の報知装置では、報知装置は、公共的施設または乗物に設置されている。したがって、初めて訪れる場所や建物等の退避行動、退避場所、非難するルートや避難場所などが判らない場所を訪れた人でも、効率良く非難活動を行うことができる。
【００３１】
また、本発明の請求項９に記載の空気調和機は、請求項１ないし請求項８のいずれかに記載の報知装置を備えた空気調和機であって、待機状態において、少なくとも受信部に電力を給電する待機電力供給部を備えている。
【００３２】
したがって、報知装置や空気調和機に対する電力の節約を図りつつ、緊急情報受信の際には、当該緊急情報に含まれる情報や上記所定の報知内容を報知することができる。
【００３３】
また、本発明の請求項１０に記載の空気調和機は、受信部が緊急情報を受信した場合には、空調の運転を停止する。
【００３４】
したがって、空調運転中に災害に起因して冷媒管が損傷し、高圧の冷媒が周囲に噴出することを防止できる。また、当該災害に起因して空気調和機自体が損傷し、空調運転中に電気部品が露出し、当該露出した電気部品に起因して感電あるいはトラッキングによる発火等が起こることを防止できる。
【発明を実施するための最良の形態】
【００３５】
以下、この発明をその実施の形態を示す図面に基づいて具体的に説明する。
【００３６】
＜実施の形態＞
図１は、本実施の形態に係わる災害報知システムの構成を示す図である。当該災害報知システムは、基地局１０と報知装置２０とにより構成されている。ここで、図１では点線にて台数を省略しているが、報知装置２０は複数台である。また、基地局１０および各報知装置２０は、電気通信回線３０と接続されている。
【００３７】
基地局１０は、地震、津波等の災害に関する緊急情報を配信する。当該緊急情報は、たとえば気象庁が発令する情報を編集したものを使用することができる。また、緊急情報には、災害の種類や災害発生までの時間等の情報が含まれている。たとえば、地震に関する緊急情報の場合には、当該緊急情報には、震源、マグニチュード、各報知装置２０が存在する位置での予想震度、各報知装置２０が存在する位置に地震が到達するまでの時間等が含まれている。したがって、基地局１０は、各報知装置２０の設置位置（現在位置）を事前に認識している必要があり、当該設置位置（現在位置）に応じて、送信する緊急情報に含まれる緒情報の内容を編集する。ここで、基地局１０は、後述する各報知装置２０から送信される位置情報にて、各報知装置２０の設置位置を認識（把握）する。
【００３８】
なお、図１では、基地局１０は１つのみ図示している。しかし、当然当該基地局１０が複数存在しており、各基地局１０が電気通信回線と接続されていても良い。
【００３９】
図２は、本実施の形態に係わる報知装置２０の内部構成を示すブロック図である。
【００４０】
報知装置２０は、図２に示すように、基地局１０から送信された緊急情報を受信する通信部（受信部と把握できる）２１を備えている。また、報知装置２０は、通信部２１で受信した緊急情報に含まれる情報に基づき、災害発生前に実施すべき事項を表す報知内容を決定する制御部（報知内容決定部と把握できる）２３を備えている。また、報知装置２０は、上記制御部で決定された報知内容を報知する報知部（たとえば後述する、表示部２５および／または音声部２６）を備えている。
【００４１】
また、各報知装置２０は、ＧＰＳ等の位置情報入手手段（図示せず）を搭載しており、自機の位置を示す位置情報を入手することができる（なお、報知装置２０が移動型で無い場合には、ユーザ等が報知装置２０の設置位置を手入力設定することもできる）。そして、当該入手・設定した位置情報を報知装置２０の識別情報と共に、通信部２１を介して基地局１０へ送信する。なお、基地局１０では、当該識別情報と位置情報とを対の状態で管理する。
【００４２】
また、報知装置２０は、図２に示すように記憶部２２を備えている。当該記憶部２２には、地震等の災害発生前に実施すべき事項を表す上記報知内容が、少なくとも１以上事前に格納されている。当該報知内容として、たとえば「ガスの元栓を閉じる」、「扉を開ける」、「屋外に出る」、「家の１階に降りる」、「子供は母親の居場所に集合する」等の情報を挙げることができる。
【００４３】
また、報知装置２０は、図２に示すように設定情報記憶部２７を備えている。当該設定情報記憶部２７には、報知内容に関する設定情報が記憶されている。ここで、「報知内容に関する設定情報」として、以下に示す、「単なる設定情報」と「認識情報」とが含まれる。
【００４４】
「単なる設定情報」とは、たとえば、報知装置２０が設置されている場所を示す情報等が挙げることができる。また、「認識情報」とは、たとえば報知装置２０がユーザの顔をスキャンし、当該スキャンした結果から得られる何れのユーザかを特定した結果情報等である。
【００４５】
報知装置２０（より具体的には、制御部（報知内容決定部と把握できる）２３）は、上記緊急情報に含まれる情報に基づいて、記憶部２２に格納されている報知内容の中から、少なくとも１以上の所定の報知内容を自動的に決定し、読み出す。さらに、制御部２３は、当該所定の報知内容を決定すると共に、当該所定の報知情報を報知する優先度とを決定する。
【００４６】
たとえば、通信部２１において受信した緊急情報に地震の到達までの時間に関する情報が含まれている場合には、制御部２３は、当該時間の長さに応じて、当該時間までに実施可能な少なくとも１以上の所定の報知内容を、当該所定の報知内容に示される行為の優先度と共に決定する。したがって、当該場合には、記憶部２２には各報知内容に対応して、各報知内容に係わる行為が完了するまでの予測時刻の情報や、各報知内容に係わる行為の優先度に関する情報等も併せて格納されている必要がある。
【００４７】
また、報知装置２０（より具体的には、制御部（報知内容決定部と把握できる）２３）は、上記緊急情報に含まれる情報および報知内容に関する設定情報（「単なる設定情報」および／または「認識情報」）に基づいて、記憶部２２に格納されている報知内容の中から、少なくとも１以上の所定の報知内容を自動的に決定し、読み出すようにしても良い。さらに、制御部２３は、当該所定の報知内容を決定すると共に、当該所定の報知情報を報知する優先度とを決定するようにしても良い。
【００４８】
たとえば、設定情報記憶部２７に報知内容に関する設定情報（特に、「単なる設定情報」）が予め記憶されている場合には、通信部２１において緊急情報を受信した際には、当該単なる設定情報に基づいて、制御部２３は、記憶部２２に格納されている報知内容の中から、少なくとも１以上の所定の報知内容を、当該所定の報知内容に示される行為の優先度と共に決定する。
【００４９】
記憶部２２において、「コンロの火を止める」、「母親の居る場所に行く」という項目が報知内容として格納されており、設定情報記憶部２７には、自機の設置場所は「２階の子供部屋」であるという「単なる設定情報」が予めに設定されていた場合を想定する。当該場合には、制御部２３は、記憶部２２に格納されている報知内容の中から、「母親の居る場所に行く」という報知内容を所定の報知内容として決定し、読み出す。なお、「単なる設定情報」に基づいて複数の所定の報知内容が決定され読み出される場合には、制御部２３は、当該所定の報知内容に示される行為の優先度をも決定される。
【００５０】
したがって、記憶部２２には各報知内容と各報知内容に関する「単なる設定情報」との関連付けを行っておく必要があり、各報知内容に係わる行為の優先度に関する情報等も併せて格納されている必要がある。
【００５１】
また、設定情報記憶部２７に報知内容に関する設定情報（特に、「認識情報」）が予め設定（記録）されている場合には、通信部２１において緊急情報を受信した際には、当該認識情報に基づいて、制御部２３は、記憶部２２に格納されている報知内容の中から、少なくとも１以上の所定の報知内容を、当該所定の報知内容に示される行為の優先度と共に決定する。
【００５２】
たとえば、記憶部２２において、「コンロの火を止める」、「母親の居る場所に行く」という項目が報知内容として格納されており、所定の報知装置２０は事前に人物特定の認識処理を行い、当該所定の報知装置２０の付近に居る人物が母親であるという認識情報を得ていた場合を想定する（なお、当該認識情報は、たとえば設定情報記憶部２７に記憶されることにより、報知内容に関する設定情報として設定される）。当該場合には、制御部２３は、記憶部２２に格納されている報知内容の中から、「コンロの火を止める」という報知内容を所定の報知内容として決定し、読み出す。なお、認識情報に基づいて複数の所定の報知内容が決定し読み出される場合には、当該所定の報知内容に示される準備行為の優先度をも決定される。
【００５３】
したがって、記憶部２２には、各放置内容と各認識情報との関連付けを行っておく必要があり、各報知内容に係わる行為の優先度に関する情報等も併せて格納されている必要がある。
【００５４】
なお、上記例示説明では説明容易の観点から、緊急情報に含まれる情報、単なる設定情報、および認識情報の何れかの１の情報に基づいて、制御部２３が、記憶部２２に格納されている複数の報知内容の中から、少なくとも１以上の所定の報知内容を優先度と共に決定する場合に言及した。しかし、当該制御部２３の読み出し、決定等の処理は、緊急情報に含まれる情報のみに基づいて実施されていても良く、また、緊急情報に含まれる情報および報知内容に関する設定情報（単なる設定情報および／または認識情報）に基づいて実施されても良い。
【００５５】
さて、上述の通り制御部２３が優先度と共に少なくとも１以上の所定の報知内容を決定し、読み出したときには、報知部（たとえば、表示部２５または音声部２６）は、制御部２３の制御の下、当該優先度の順位に従って決定した所定の報知内容を報知する。
【００５６】
なお、図２に示すように、報知装置２０は、通信部２１が緊急情報を受信した際に発光する発光部２４を備えていても良い。なお、通信部２１が緊急情報を受信すると、当該発光部２４は断続的に点滅しても良く、また点灯し続けても良い。当該発光部２４として、たとえば発光ダイオードを採用することができる。
【００５７】
また、記憶部２２に所定の文字データが記憶されており、図２に示すように、報知装置２０は、緊急情報に含まれる情報および上記所定の報知内容を文字で表示（つまり、前記文字データを用いて表示）する表示部２５を備えていても良い。
【００５８】
たとえば、地震速報の場合には、通信部２１が緊急情報を受信すると、制御部２３の制御の下、記憶部２２に格納されている所定の文字データを用いて、表示部２５には、当該緊急情報に含まれている「震度」、「地震発生（到達）までの時間」等の情報が表示される。さらに、制御部２３の制御の下、表示部２５には、記憶部２２から読み出された少なくとも１以上の所定の報知内容を、記憶部２２に格納されている所定の文字データを用いて表示される（たとえば、「扉を開ける」、「ガスの元栓を閉じる」等の文字が上記優先度順に表示される）。
【００５９】
また、図２に示すように、報知装置２０は、緊急情報に含まれる情報および上記所定の報知内容を音声で通知（報知）する音声部２６を備えていても良い。
【００６０】
たとえば、地震速報の場合には、通信部２１が緊急情報を受信すると、制御部２３の制御の下、記憶部２２に格納されている所定の音声データが再生され、音声部２６から、当該緊急情報に含まれている「震度」、「地震発生（到達）までの時間」等の情報が音声として出力される。さらに、制御部２３の制御の下、音声部２６からは、記憶部２２から読み出された少なくとも１以上の所定の報知内容を、記憶部２２に記憶されている所定の音声データを再生することにより、音声として出力がされる（たとえば、「扉を開ける」、「ガスの元栓を閉じる」等が音声として上記優先度順に出力がされる）。
【００６１】
なお、所定の報知内容を表示部２５で表示（報知）すると共に、音声部２６から音声として出力（報知）しても良く、いずれか一方において報知しても良い。また、発光部２４を発光しながら、上記表示部２５および／または音声部２６を介して緊急情報に含まれる情報や報知内容を報知しても良い。
【００６２】
以上のように、本実施の形態に係わる報知装置２０では、制御部（報知内容決定部）２３が、通信部２１で受信した緊急情報に含まれる情報に基づき、災害発生前に実施すべき事項を表す報知内容を決定している。そして、報知部が、当該決定した報知内容を報知している。
【００６３】
したがって、緊急情報によりユーザが災害の発生を事前に認識した場合でも、当該報知内容に基づき的確な指示を報知する事で、当該ユーザは、短い時間で必要な行動を災害発生前に行うことができる。
【００６４】
また、本実施の形態に係わる報知装置２０は、制御部（報知内容決定部）２３が、緊急情報および／または前記報知内容に関する設定情報に基づいて、記憶部２２に格納されている報知内容の中から、少なくとも１以上の所定の報知内容と、当該所定の報知内容を報知する優先度とを決定している。そして、報知部は、当該優先度に従って、上記所定の報知内容を順に報知している。
【００６５】
したがって、たとえば、地震等の災害発生（到達）までの時間（緊急情報に含まれる情報）、報知装置２０の設置場所（報知内容に関する設定情報であり、特に単なる設定情報）および、当該報知装置２０が事前に認識している、例えば自機の近くに存する人を認識した結果（報知内容に関する設定情報であり、特に認識情報）等に応じて、制御部２３は、適切な所定の報知内容を優先度の高い順に決定し、報知部は当該所定の報知内容を報知することができる。よって、ユーザは、当該ユーザの存する状況に適した災害準備を、災害発生前に迅速に実施することができる。
【００６６】
また、本実施の形態に係わる報知装置２０は、緊急情報を受信した際に発光する発光部２４を備えている。したがって、ユーザは、地震等の災害に関する緊急情報を報知装置２０が受信したことを認識することができる。
【００６７】
また、本実施の形態に係わる報知装置２０は、緊急情報に含まれる情報および所定の報知内容を表示（たとえば文字で表示）する表示部２５を備えている。したがって、ユーザは、確実にかつ容易に、たとえば災害の規模や災害発生（到達）までの時間等の情報および、災害が発生する前にすべき事項（所定の報知内容）を認識することができる。
【００６８】
また、本実施の形態に係わる報知装置２０は、緊急情報に含まれる情報および所定の報知内容を音声で報知する音声部２６を備えている。したがって、ユーザは、報知装置２０に対して常時注意を払って無くても、確実にかつ容易に、たとえば災害の規模や災害発生（到達）までの時間等の情報および、災害が発生する前にすべき事項（所定の報知内容）を認識することができる。
【００６９】
なお、報知装置２０は、電気通信回線３０を介して通信部２１で、所定の文字（たとえばメール）、音声（たとえばＷＥＢ上で配信される音声、音楽）、画像情報（たとえばＷＥＢ上で配信される動画等の画像、映像）を受信できるようにしても良い。そして、報知措置２０は、上記表示部２５および／または音声部２６を介して、当該受信した所定の文字情報等を提供できるようにしても良い。当該構成を採用する場合には、通信部２１が基地局１０からの緊急情報を受信したとき、報知部（表示部２５および／または音声部２６）は、当該緊急情報に含まれる情報や上記所定の報知内容を、上記所定の文字、音声、音楽、画像、映像情報より優先して報知する。なお、報知装置２０は、テレビに内蔵されていても良い。
【００７０】
したがって、上記構成を採用した場合には、ユーザが、電気通信回線３０介して送信される所定の文字情報等を送受信している最中であっても、ユーザは、災害が発生することを迅速に認識することができる。
【００７１】
また、冷暖房等の空調の運転を行うことができる空気調和機（たとえば室内機）が、図２に示す構成であり、上述した各動作を実施できる報知装置２０を備えている構成を採用することもできる。ここで、当該報知装置２０を備える空気調和機は、待機電力供給部（図示せず）を備えている。待機電力供給部は、空気調和機が空調の運転を行っていない状態（待機状態と称する）であっても、少なくとも上記通信部２１には電源を供給することができる。
【００７２】
したがって、空気調和機が上記待機状態であっても、正常に通信部２１は上記緊急情報を受信することができる。そして、当該待機状態において通信部２１が上記緊急情報を受信した場合には、少なくとも報知装置２０の主電源が自動的にオンとなる。そして、報知装置２０の報知部は、緊急情報に含まれている情報や上記所定の報知内容を報知（視覚的および／または聴覚的に報知）する。
【００７３】
以上により、報知装置２０および待機電力給電部を含む空気調和機を採用することにより、常に、報知装置２０や空気調和機の主電源を常にオンにしておく必要がなくなる。よって、報知装置２０や空気調和機に対する電力の節約を図りつつ、基地局１０からの緊急情報受信の際には、当該緊急情報に含まれる情報や上記所定の報知内容を報知することができる。
【００７４】
なお、空気調和機が報知装置２０を含んでいる構成において当該空気調和機が空調の運転を行っている場合には、報知部において空調運転の状況（空調温度、風速、風量等の情報）を報知（表示）しても良い。ただし、緊急情報を受信した場合には、報知部は、緊急情報に含まれる情報や上記所定の報知内容を優先的に報知する。
【００７５】
また、上記のように空気調和機が報知装置２０を含む構成を採用した場合には、当該空気調和機の空調運転中に通信部２１が基地局１０からの緊急情報を受信したとき、当該空気調和機は当該空調の運転を強制的に停止する。
【００７６】
これにより、緊急情報を受信した場合には空気調和機の空調の運転が停止されるので、空調運転中に地震等の災害に起因して冷媒管が損傷し、高圧の冷媒が周囲に噴出することを防止できる。また、地震等により空気調和機自体が損傷し、空調運転中に電気部品が露出し、当該露出した電気部品に起因して感電あるいはトラッキングによる発火等が起こることを防止できる。
【００７７】
なお、最近では一家屋内の複数の部屋に空気調和機（室内機）が設けられているので、空気調和機に報知装置２０を含む構成を採用することにより、家のどの部屋にいても報知部が報知する緊急情報に含まれる情報や上記所定の報知内容の提供を受けることができる。
【００７８】
また、上記説明では、記憶部２２と設定情報記憶部２７とは別回路とした。しかし、記憶部２２と設定情報記憶部２７とを、一の記憶部にて構成することもできる。
【００７９】
なお、上記では、報知装置２０は、報知内容が格納されている記憶部２４を有し、また、各報知装置２０の設置位置を把握している基地局１０が、各報知装置２０に別個独立に地震に関する情報（たとえば、震度、地震の到達時刻）等を送信する形態について説明した。しかし、次のような他の形態も挙げる事ができる。
【００８０】
つまり、当該他の形態では、基地局１０は、各報知装置２０の正確な設置位置を把握（取得）していない。他方、各報知装置２０には、自機に設置位置に関する設定情報が設定されている。たとえば、地域を１ｋｍ四方の複数の区画に分割し、その複数の計算地点（区画の中心点と把握できる）が、災害報知システムに設定されている。そして、各報知装置２０には、自機に最も近い計算地点が設定情報として選択設定される。
【００８１】
各報知装置２０に上記設定情報が設定されている状態において、基地局１０が地震の発生を予測（または検知）した場合には、各報知装置２０に後述するデータを共通に送信する。つまり、当該データには、ヘッダ情報として、地震の規模、発生時刻に関する情報が含まれており、さらに、当該データは、複数の区分領域に区分けされている。ここで、各区分領域は、各計算地点に対応して設けられており、当該区分領域には、対応する計算地点における地震の震度、地震の到達時刻等に関する情報が含まれている。なお、当該各計算地点毎の地震震度や地震到達時刻等は、たとえば基地局１０において算出される。
【００８２】
各報知装置２０（具体的に受信部２１）が緊急情報である上記データを受信する。すると、報知内容決定部２３は、当該緊急情報と、自機に予め設定されている上記設定情報（自機に最も近い計算地点に関する情報）に基づいて、ヘッダ情報および自機に対応する区分領域に含まれている情報（地震震度や地震到達時刻等）を報知すべき事項として、選択（決定）する。そして、報知部２５，２６は、報知内容決定部２３で決定された前記報知すべき事項を報知する。なお、報知内容が格納されている記憶部２４を報知装置２０が有している場合には、上記報知と共に、上述の如く、所定の報知内容（災害発生前に実施すべき事項を表す情報）を優先度順に報知することもできる。
【００８３】
また、下記のように、記憶部２４に報知内容が格納されている場合には、外部からの操作により記憶部２４内に格納されている報知内容を編集することができる。
【００８４】
たとえば、報知装置２０にウエブサーバが内蔵されていれば、ＨＴＴＰプロトコルでパーソナルコンピュータや携帯端末等からの遠隔操作により、記憶部２４内の報知内容および当該報知内容の優先順位等を変更・編集することができる。また、テレビ画面に報知内容の一覧を表示させながら、当該テレビのリモコンを用いて、記憶部２４内に格納されている報知内容および当該報知内容の優先順位等を変更・編集することもできる。空気調和機においても、リモコンの表示部を利用し表示させながら編集することもできる。
【００８５】
報知内容が音声ファイルの場合も同様に、パーソナルコンピュータや携帯端末等で録音しアップロードすることで報知内容を更新することができる。
【００８６】
また、上記報知装置２０は、公共的施設または乗物に設置されていても良い。当該公共的施設や乗り物に報知装置２０を配置させることにより、初めて訪れる場所や建物等の退避行動、退避場所、非難するルートや避難場所などが判らない場所を訪れた人でも、効率良く非難活動を行うことができる。
【図面の簡単な説明】
【００８７】
【図１】本発明に係わる災害報知システムの構成を示す図である。
【図２】報知装置の内部構成を示すブロック図である。
【符号の説明】
【００８８】
１０  基地局
２０  報知装置
２１  通信部
２２  記憶部
２３  制御部
２４  発光部
２５  表示部
２６  音声部
２７  設定情報記憶部
３０  電気通信回線
【図１】
2008117166.tif 000003
【図２】
2008117166.tif 000004